(57)【要約】【課題】クリーンルーム設備のシステム天井に、揺れのない安定した足場を簡単に組み立てることのできる足場構造を提供する。【解決手段】本発明の足場構造は、クリーンルーム設備１０のシステム天井１４に仮設するものであり、天井フレーム１４の縦梁１４Ａ、１４Ａに架設される足場板部材５０が伸縮自在に構成されるとともに、足場板部材５０の両端部に縦梁１４Ａ、１４Ａに係合される爪部材５２、５２、５４が設けられる。【選択図】  図３
2007270571.tif 000002
【特許請求の範囲】
【請求項１】
クリーンルーム設備の建屋鉄骨に吊設されるシステム天井に形成する足場構造であって、
伸縮自在に構成されるとともに両端部に爪部材が設けられた足場板部材を、前記システム天井の一対の梁に前記爪部材を係合させるようにして架設し、固定具で前記梁に機械的に固定することによって、前記建屋鉄骨、前記システム天井とともに揺れ防止用の足場を構成することを特徴とする足場構造。
【請求項２】
前記爪部材が前記足場板部材にスライド自在に且つ固定可能に支持されるとともに、
前記足場板部材が入れ子式に組み合わされ且つ固定可能な複数の板部材によって構成されることを特徴とする請求項１に記載の足場構造。
【請求項３】
前記足場板部材の一方の端部に設けられた爪部材は、前記足場板部材の他方の端部に設けられた複数の爪部材同士の間に入る形状で形成されることを特徴とする請求項１または２に記載の足場構造。
【請求項４】
前記足場板部材の一方の端部に設けられた爪部材が、別の足場板部材の他方の端部に設けられた爪部材同士の間が入るようにして、複数の足場板部材が前記システム天井に架設されて足場が形成されることを特徴とする請求項３に記載の足場構造。
【発明の詳細な説明】
【技術分野】
【０００１】
本発明は足場構造に係り、特にクリーンルーム設備のシステム天井に形成される足場構造に関する。
【背景技術】
【０００２】
クリーンルーム設備の清浄室の天井面には、格子状のシステム天井が設けられており、このシステム天井の格子空間にファンフィルタユニット（以下、ＦＦＵ）が配設される。ＦＦＵをメンテナンスする場合やＦＦＵの各種設定を調整する場合には、システム天井を用いて作業足場が仮設され、この作業足場の上で作業が行われる。
【０００３】
作業足場構造としては、たとえば図７に示すように、一対の梁１、１に足場板２を敷いて結束したものがある。また、特許文献１には、足場板を構造物に敷いて固定するように作業足場構造が記載されている。
【特許文献１】特開平５−２５６０１９号公報
【発明の開示】
【発明が解決しようとする課題】
【０００４】
しかしながら、従来の足場構造は、作業者が足場板の端部に乗った際に片持ち支持になって、足場板が不安定になるという問題があった。
【０００５】
また、従来の足場構造は、構造物に応じて足場板の形状や取付金具の位置を変えなければならないという問題があった。
【０００６】
本発明はこのような事情に鑑みて成されたもので、クリーンルーム設備のシステム天井に、安定した足場を簡単に組み立てることのできる足場構造を提供することを目的とする。
【課題を解決するための手段】
【０００７】
請求項１に記載の発明は前記目的を達成するために、クリーンルーム設備の建屋鉄骨に吊設されるシステム天井に形成する足場構造であって、伸縮自在に構成されるとともに両端部に爪部材が設けられた足場板部材を、前記システム天井の一対の梁に前記爪部材を係合させるようにして架設し、固定具で前記梁に機械的に固定することによって、前記建屋鉄骨、前記システム天井とともに揺れ防止用の足場を構成することを特徴とする。
【０００８】
本発明によれば、足場板部材が伸縮自在に構成されるので、システム天井の形状（すなわち一対の梁の間隔）に依らず、足場板部材を簡単且つ確実に組み立てることができる。また、本発明によれば、足場板部材の両端部に爪部材を設けて梁部材に係合して固定するようにしたので、揺れのない安定した作業足場を簡単に組み立てることができる。
【０００９】
請求項２に記載の発明は請求項１の発明において、前記爪部材が前記足場板部材にスライド自在に且つ固定可能に支持されるとともに、前記足場板部材が入れ子式に組み合わされ且つ固定可能な複数の板部材によって構成されることを特徴とする。
【００１０】
請求項２の発明によれば、爪部材が足場板にスライド自在に且つ固定可能に支持されるので、システム天井の梁の幅に依らず、爪部材を梁に係合させることができる。また、請求項２の発明によれば、複数の板部材を入れ子式に組み合わせたので、足場板部材が伸縮自在に構成されるとともに、足場板部材に十分な強度を確保することができる。
【００１１】
請求項３に記載の発明は請求項１または２の発明において、前記足場板部材の一方の端部に設けられた爪部材は、前記足場板部材の他方の端部に設けられた複数の爪部材同士の間に入る形状で形成されることを特徴とする。
【００１２】
請求項３の発明によれば、複数の足場板部材を用いて足場を形成する際に、足場板部材の一方の端部の爪部材と、別の足場板部材の他方の端部の爪部材とを梁の同じ位置に係合することができる。したがって、複数の足場板部材を密着させ、隙間のない足場を形成することができる。
【００１３】
請求項４に記載の発明は請求項３の発明において、前記足場板部材の一方の端部に設けられた爪部材が、別の足場板部材の他方の端部に設けられた爪部材同士の間が入るようにして、複数の足場板部材が前記システム天井に架設されて足場が形成されることを特徴とする。したがって、請求項４の発明によれば、複数の足場板部材を隙間なく密着させて足場を形成することができる。
【発明の効果】
【００１４】
本発明によれば、伸縮自在な足場板部材の両端部に爪部材を設けて梁部材に固定するようにしたので、様々な形状のシステム天井に対して、揺れのない安定した足場を簡単に組み立てることができる。
【発明を実施するための最良の形態】
【００１５】
以下、添付図面に従って、本発明に係る足場構造の好ましい実施形態について説明する。まず、本発明の足場構造が適用されるクリーンルーム設備について説明する。
【００１６】
図１はクリーンルーム設備１０の全体構成を模式的に示す構成図である。同図に示すように、クリーンルーム設備１０は、清浄室１２を有し、この清浄室１２の天井面に後述のシステム天井１４が設けられる。システム天井１４は格子状に形成されており、このシステム天井１４の格子空間にファンフィルタユニット（以下、ＦＦＵ）１６、１６…が間引きして配置される。ＦＦＵ１６は、ケース内に設けられたファン及びフィルタ（不図示）から成り、ファンを駆動することによって天井裏チャンバ１８内のエアをケース内に吸引し、吸引したエアをフィルタに通過させた後、清浄室１２にダウンフローするように構成される。なお、ＦＦＵ１６のフィルタは、設定環境に応じてＨＡＰＡフィルタやＵＬＰＡフィルタが選択される。
【００１７】
清浄室１２の床面は、多数の開口を有するグレーチング２０になっており、このグレーチング２０の多数の開口を介して清浄室１２と床下チャンバ２２とが連通される。したがって、清浄室１２内に吹き出されたエアは、清浄室１２内の塵埃とともにグレーチング２０の開口から床下チャンバ２２に吸いこまれる。
【００１８】
床下チャンバ２２は、ドライコイル２４を介してリターンチャンバ２６に連通され、このリターンチャンバ２６が天井裏チャンバ１８に連通される。したがって、床下チャンバ２２に吸いこまれたエアの一部は、ドライコイル２４で冷却された後、リターンチャンバ２６を通って天井裏空間１８に戻される。これにより、クリーンルーム設備１０内のエアが循環され、清浄室１２にはＦＦＵ１６のフィルタで除塵された清浄エアが連続して供給されるので、清浄室１２を所定の清浄度に維持することができる。
【００１９】
床下チャンバ２２には、排気ダクト２８が接続されており、床下チャンバ２２のエアの一部を外部に排気できるようになっている。また、床下チャンバ２２には、ダクト３０が接続され、このダクト３０がＡＨＵ３２の吸引口に接続される。ＡＨＵ３２は、エアの温度、湿度を調節する装置であり、その吹出口はダクト３４を介して天井裏チャンバ１８に連通される。よって、床下チャンバ２２のエアの一部を吸引し、温湿度を調節した後、天井裏チャンバ１８に送気することができる。また、ＡＨＵ３２は、その吸引口に外気取入ダクト３６が接続されており、必要に応じて外気を取り入れるように構成される。
【００２０】
図２はシステム天井１４の構成を示す斜視図である。同図に示すように、システム天井１４は、吊りボルト４０、４０…によって吊設されており、この吊りボルト４０、４０…の上端が鉄骨４２に溶接されている。
【００２１】
また、システム天井１４に、平行に配列された複数の縦梁１４Ａ、１４Ａ…と、この縦梁１４Ａに直交するように配列された複数の横梁１４Ｂ、１４Ｂ…とによって格子状に形成されている。縦梁１４Ａ、１４Ａのスパン（中心同士の間隔）は、たとえば９００ｍｍに設定される。
【００２２】
前述したＦＦＵ１６は、システム天井１４の格子空間に間引きして配置されており、間引きした格子空間には閉止板４４が配置される。なお、閉止板４４の代わりに通気性を有する半閉止板４４を設けてもよい。
【００２３】
本発明に係る足場構造は、上述したシステム天井１４に仮設されるものである。図３は、本発明に係る足場構造の構成を示す斜視図であり、図４は、その側面図である。また、図５は、図４の板部材５６の端部構造を示す断面図である。
【００２４】
本発明に係る足場構造は、図３に示す足場板部材５０をシステム天井１４の一対の縦梁１４Ａ、１４Ａに架設することによって組み立てられる。なお、以下の実施形態では、一対の縦梁１４Ａ、１４Ａに足場板部材５０を架設する例で説明するが、一対の横梁１４Ｂ、１４Ｂに架設するようにしてもよい。
【００２５】
足場板部材５０は、二枚の板部材５６、５８が入れ子式に組み合わされて構成される。すなわち、板部材５６は筒状に形成されており、この板部材５６の内部に板部材５８が差し込まれている。なお、板部材５８が板部材５６から完全に抜けることを防止するためのストッパを設けるとよい。
【００２６】
板部材５６には、ねじ孔５６Ａ、５６Ａが形成されており、このねじ孔５６Ａ、５６Ａに固定ビス６０、６０が螺合される。そして、固定ビス６０、６０をねじ孔５６Ａ、５６Ａにねじ込むことによって、固定ビス６０、６０の先端が板部材５８に当接し、板部材５６と板部材５８が固定される。なお、ねじ孔５６Ａ、５６Ａの上端は座繰り（不図示）が形成されており、固定ビス６０、６０をねじ込んだ際に固定ビス６０、６０が板部材５６の上面から突出しないようになっている。
【００２７】
板部材５６の外側の端部には、爪部材５２、５２が取りつけられている。爪部材５２、５２は、下方に屈曲したＬ状に形成されており、板部材５６の長手方向にスライド自在に支持されている。板部材５６にはねじ孔５６Ｂ、５６Ｂが形成されており、このねじ孔５６Ｂ、５６Ｂに固定ビス６２、６２が螺合される。そして、固定ビス６２、６２をねじ込むことによって、固定ビス６２、６２の先端が爪部材５２、５２を押圧し、爪部材５２、５２が板部材５６に固定されるようになっている。これにより、爪部材５２、５２の板部材５６からの突出量を調整することができる。なお、ねじ孔５６Ｂ、５６Ｂの上端は図５に示すごとく座繰りが形成されており、固定ビス６２、６２をねじ込んだ際に固定ビス６２、６２が板部材５６の上面から突出しないようになっている。また、爪部材５２、５２は、間隔をあけて取りつけられており、その間隔は、もう一方の爪部材５４の幅よりも大きく設定されている。したがって、爪部材５２、５２同士の間に別の足場板部材５０の爪部材５４を配置することができ、複数の足場板部材５０、５０…を密着して配置することができる。
【００２８】
爪部材５２、５２の先端面、すなわち、垂直に配置された面にはそれぞれ、ねじ孔５２Ｂ、５２Ｂが形成されており、このねじ孔５２Ｂ、５２Ｂに固定ビス６６、６６が螺合されている。したがって、爪部材５２、５２の先端面と板部材５６の先端面との間に縦梁１４Ａを差し込んだ状態で、固定ビス６６、６６をねじ孔５２Ｂ、５２Ｂにねじ込むことによって、固定ビス６６、６６の先端が縦梁１４Ａを押圧し、縦梁１４Ａと爪部材５２、５２とを固定することができる。
【００２９】
一方、板部材５８の外側の端部には、爪部材５４が取りつけられている。爪部材５４は、下方に屈曲したＬ状に形成されており、板部材５８の長手方向にスライド自在に支持されている。板部材５８にはねじ孔５８Ｂが形成されており、このねじ孔５８Ｂに固定ビス６４が螺合される。そして、固定ビス６４をねじ込むことによって、固定ビス６４の先端が爪部材５４を押圧し、爪部材５４が板部材５８に固定されるようになっている。これにより、爪部材５４の板部材５８からの突出量を調整することができる。なお、ねじ孔５８Ｂの上端は座繰り（不図示）が形成されており、固定ビス６４をねじ込んだ際に固定ビス６４が板部材５８の上面から突出しないようになっている。
【００３０】
爪部材５４の先端面、すなわち、垂直に配置された面には、ねじ孔５４Ｂが形成されており、このねじ孔５４Ｂに固定ビス６８が螺合されている。したがって、爪部材５４の先端面と板部材５８の先端面との間に縦梁１４Ａを差し込んだ状態で、固定ビス６８をねじ込むことによって、固定ビス６８の先端が縦梁１４Ａを押圧し、縦梁１４Ａと爪部材５４とを固定することができる。
【００３１】
次に上記の如く構成された足場構造の構築方法について説明する。
【００３２】
まず、縦梁１４Ａ、１４Ａのスパンに応じて、足場板部材５０の長さを調整する。すなわち、板部材５８を板部材５６にスライドさせることによって足場板部材５０の長さを調整し、足場板部材５０の長さＬ１（図４参照）が縦梁１４Ａ、１４Ａの内側面同士の間隔Ｌ２よりも若干短くなるように調整し、固定ビス６０、６０によって板部材５６、５８同士を固定する。
【００３３】
次に、縦梁１４Ａ、１４Ａの幅に応じて、爪部材５２、５２、５４の突出量を調整する。すなわち、爪部材５２、５２、５４をそれぞれスライドさせることによって、爪部材５２、５２と板部材５６の先端面との間隔Ｌ３や、爪部材５４の先端面と板部材５８の先端面との間隔Ｌ４が、梁部材１４Ａの幅寸法Ｗよりも若干大きくなるように調整した後、固定ビス６２、６２、６４によって爪部材５２、５２、５４を板部材５６、５８に固定する。
【００３４】
次に、爪部材５２、５２、５４を縦梁１４Ａに係合させ、爪部材５２、５２、５４の先端の固定ビス６６、６８によって縦梁１４Ａ、１４Ａに固定する。これにより、足場板部材５０をシステム天井１４に固定することができ、作業足場を仮設することができる。このようにして固定された足場板部材５０は、その両端部が爪部材５２、５４、５４によって縦梁１４Ａ、１４Ａに確実に固定されているので、足場板部材５０の端部に作業者が乗っても大きく揺れるおそれがなく、足場板部材５０の部分的な揺れを抑制することができる。
【００３５】
このように本実施の形態によれば、足場板部材５０の両端部に爪部材５２、５２、５４を設けて縦梁１４Ａ、１４Ａに固定するようにしたので、安定した作業足場を簡単に組み立てることができる。
【００３６】
また、本実施の形態によれば、足場板部材５０が伸縮自在に構成されるので、システム天井１４の形状（すなわち一対の縦梁１４Ａ、１４Ａの間隔）に依らず、足場板部材５０を簡単且つ確実に組み立てることができる。
【００３７】
なお、上述した実施の形態では、二枚の板部材５６、５８を入れ子式に組み立てることによって足場板部材５０を構成したが、足場板部材５０の構成はこれに限定するものではなく、三枚以上の板部材を入れ子式に組み立てたり、別の伸縮構造としてもよい。
【００３８】
また、上述した実施の形態では、足場板部材５０を一つのみ架設するようにしたが、これに限定するものではなく、複数の足場板部材５０を架設することによって足場を組み立てるようにしたもよい。その際、図６に示すように、一方の足場板部材５０の爪部材５２、５２の間に、もう一方の足場板部材５０の爪部材５４が入り込むようにして、共通の縦梁１４Ａに係合させて固定するとよい。このように複数の足場板部材５０、５０を固定することによって、隙間のない足場を組み立てることができる。
【図面の簡単な説明】
【００３９】
【図１】本発明の足場構造が適用されるクリーンルーム設備の全体構成図
【図２】図１のシステム天井を示す斜視図
【図３】本発明に係る足場構造を示す斜視図
【図４】図３の足場構造の側面図
【図５】図４の板部材の端部の構成を示す断面図
【図６】複数の足場板部材によって、
【図７】従来の足場構造を示す斜視図
【符号の説明】
【００４０】
１０…クリーンルーム設備、１２…清浄室、１４…システム天井、１４Ａ…縦梁、１４Ｂ…横梁、１６…ＦＦＵ、４０…吊り金具、４２…鉄骨、５０…足場板部材、５２…爪部材、５４…爪部材、５６…板部材、５８…板部材
【図１】
2007270571.tif 000003
【図２】
2007270571.tif 000004
【図３】
2007270571.tif 000005
【図４】
2007270571.tif 000006
【図５】
2007270571.tif 000007
【図６】
2007270571.tif 000008
【図７】
2007270571.tif 000009